(57)【特許請求の範囲】
【請求項１】
静止画像と、前記静止画像と画角を共有する動画像であって前記静止画像を撮影した機材と連結部材を介して連結され、前記静止画像を撮影した機材の画角と一致するように調整された動画カメラで撮影された動画像とを関連付けて記憶部に記憶させる画像管理部と、
前記静止画像を特定するための識別情報を、ネットワークを介して情報端末から受信する情報受信部と、
前記識別情報で特定される静止画像に関連付けられた動画像を、前記ネットワークを介して前記情報端末に提供する提供部と、
を備えることを特徴とする動画像提供サーバ。
【請求項２】
前記画像管理部は、前記静止画像が撮影された撮影時刻と前記動画像が撮影された撮影時間帯とを、それぞれ前記静止画像と前記動画像とに関連付けて前記記憶部に記憶させ、
前記提供部は、前記静止画像の撮影時刻を撮影時間帯に含む動画像を、前記情報端末に提供する、
ことを特徴とする請求項１に記載の動画像提供サーバ。
【請求項３】
前記情報受信部は、前記情報端末において実行されるアプリケーションが画像から取得した識別情報を受信し、
前記提供部は、前記アプリケーションにおいて表示されるように構成された動画像を前記情報端末に提供する、
ことを特徴とする請求項１又は２に記載の動画像提供サーバ。
【請求項４】
前記画像管理部は、前記情報端末に提供するための広告動画をさらに記憶部に記憶させ、
前記提供部は、前記動画像に加えて前記広告動画を前記情報端末に提供することを特徴とする請求項１から３のいずれか一項に記載の動画像提供サーバ。
【請求項５】
静止画像と、前記静止画像と画角を共有する動画像であって前記静止画像を撮影した機材と連結部材を介して連結され、前記静止画像を撮影した機材の画角と一致するように調整された動画カメラで撮影された動画像とを関連付けて記憶部に記憶させるステップと、
前記静止画像を特定するための識別情報を、ネットワークを介して情報端末から受信するステップと、
前記識別情報で特定される静止画像に関連付けられた動画像を、前記ネットワークを介して前記情報端末に提供するステップと、
をプロセッサが実行することを特徴とする動画像提供方法。
【請求項６】
撮像素子及び表示部を備える携帯端末に、
前記撮像素子を用いて静止画像を被写体に含む画像を撮影する機能と、
前記撮影した画像を前記表示部に表示する機能と、
前記撮影した画像から、当該画像に被写体として含まれる静止画像を特定するための識別情報を取得する機能と、
前記静止画像と、前記静止画像と画角を共有する動画像であって前記静止画像を撮影した機材と連結部材を介して連結され、前記静止画像を撮影した機材の画角と一致するように調整された動画カメラで撮影された動画像とを関連付けて管理する動画像提供サーバに、取得した識別情報をネットワークを介して送信する機能と、
前記識別情報で特定される静止画像に関連付けられた動画像を、前記動画像提供サーバから前記ネットワークを介して受信する機能と、
前記表示部において前記静止画像が表示されている領域に、受信した動画像を重ねて表示する機能と、
を実現させることを特徴とするプログラム。
【請求項７】
動画像提供サーバと、
ネットワークを介して前記動画像提供サーバと通信可能な情報端末と、
記憶部と、
を備える動画像提供システムであって、
前記動画像提供サーバは、
静止画像と、前記静止画像と画角を共有する動画像であって前記静止画像を撮影した機材と連結部材を介して連結され、前記静止画像を撮影した機材の画角と一致するように調整された動画カメラで撮影された動画像とを関連付けて前記記憶部に記憶させる画像管理部と、
前記静止画像を特定するための識別情報を、前記ネットワークを介して前記情報端末から受信する情報受信部と、
前記識別情報で特定される静止画像に関連付けられている動画像を、前記ネットワークを介して前記情報端末に提供する提供部と、
を備え、
前記情報端末は、
前記静止画像を識別するための識別情報を静止画像から取得する識別情報取得部と、
取得した識別情報を、前記ネットワークを介して前記動画像提供サーバに送信する送信部と、
前記ネットワークを介して前記動画像提供サーバから動画像を受信する受信部と、
前記静止画像の表示領域に受信した動画像を表示する表示部と、
を備えることを特徴とする動画像提供システム。
【発明の詳細な説明】
【技術分野】
【０００１】
本発明は、動画像提供サーバ、動画像提供サーバが実行する動画像提供方法、及び、動画像提供サーバと通信する情報端末が実行するプログラムに関する。
【背景技術】
【０００２】
インターネット等のウェブサイトに電子的に公開されている画像を、購入者がインターネット等のネットワークを通して写真家から直接的に製品を注文する技術は種々提案されている（例えば特許文献１）。これらの技術を利用することにより、ユーザは、店頭等に赴かなくても、自宅においてウェブ上で注文し、写真プリントを入手することができる。
【先行技術文献】
【特許文献】
【０００３】
【特許文献１】特表２００４−５１４９７６号公報
【発明の概要】
【発明が解決しようとする課題】
【０００４】
近年では、例えば運動会や卒業式等のイベントにおいて、静止画像であるスチル写真のみならず動画像を撮影して販売するサービスも提供されるようになってきている。ここでスチル写真は印画紙にプリントされた状態で提供されるが、動画像は電子的なファイルで提供されるのが一般的である。画像の販売者は、ユーザに提供するスチル写真に対応する動画像を用意する。写真プリントの購入者は、その写真プリントに関連する動画像を購入することを希望する場合には、販売者が用意した複数の動画像の中から写真プリントに関連する動画像を選択する必要がある。多くのスチル写真が公開されている場合はその数だけ動画像も公開されることになるため、動画像の購入希望者が所望の動画像を探し出す作業が繁雑になりかねない。
【０００５】
本発明はこれらの点に鑑みてなされたものであり、その目的は、静止画像に関連する動画像を簡便に提供することができる技術を提供することにある。
【課題を解決するための手段】
【０００６】
本発明の第１の態様に係る動画像提供サーバは、静止画像と、前記静止画像と画角を共有する動画像とを関連付けて記憶部に記憶させる画像管理部と、前記静止画像を特定するための識別情報を、ネットワークを介して情報端末から受信する情報受信部と、前記識別情報で特定される静止画像に関連付けられた動画像を、前記ネットワークを介して前記情報端末に提供する提供部と、を備える。
【０００７】
前記画像管理部は、前記静止画像が撮影された撮影時刻と前記動画像が撮影された撮影時間帯とを、それぞれ前記静止画像と前記動画像とに関連付けて前記記憶部に記憶させてもよく、前記提供部は、前記静止画像の撮影時刻を撮影時間帯に含む動画像を、前記情報端末に提供してもよい。
【０００８】
前記情報受信部は、前記情報端末において実行されるアプリケーションが画像から取得した識別情報を受信してもよく、前記提供部は、前記アプリケーションにおいて表示されるように構成された動画像を前記情報端末に提供してもよい。
【０００９】
前記静止画像は、当該静止画像に関連付けられた動画像を撮影した撮影機器で撮影されてもよい。
【００１０】
前記画像管理部は、前記情報端末に提供するための広告動画をさらに記憶部に記憶させてもよく、前記提供部は、前記動画像に加えて前記広告動画を前記情報端末に提供してもよい。
【００１１】
本発明の第２の態様に係る動画像提供方法は、静止画像と、前記静止画像と画角を共有する動画像とを関連付けて記憶部に記憶させるステップと、前記静止画像を特定するための識別情報を、ネットワークを介して情報端末から受信するステップと、前記識別情報で特定される静止画像に関連付けられた動画像を、前記ネットワークを介して前記情報端末に提供するステップと、をプロセッサが実行する。
【００１２】
本発明の第３の態様に係るプログラムは、撮像素子及び表示部を備える携帯端末に、前記撮像素子を用いて静止画像を被写体に含む画像を撮影する機能と、前記撮影した画像を前記表示部に表示する機能と、前記撮影した画像から、当該画像に被写体として含まれる静止画像を特定するための識別情報を取得する機能と、前記静止画像と、前記静止画像と画角を共有する動画像とを関連付けて管理する動画像提供サーバに、取得した識別情報をネットワークを介して送信する機能と、前記識別情報で特定される静止画像に関連付けられた動画像を、前記動画像提供サーバから前記ネットワークを介して受信する機能と、前記表示部において前記静止画像が表示されている領域に、受信した動画像を重ねて表示する機能と、を実現させる。
【００１３】
このプログラムは、情報端末の基本的な制御を行なうために機器に組み込まれるファームウェアの一部として提供されてもよい。このファームウェアは、たとえば、端末内のＲＯＭ（Read Only Memory）やフラッシュメモリなどの半導体メモリに格納される。このファームウェアを提供するため、あるいはファームウェアの一部をアップデートするために、このプログラムを記録したコンピュータ読み取り可能な記録媒体が提供されてもよく、また、このプログラムが通信回線で伝送されてもよい。
【００１４】
本発明の第４の態様は、動画像提供サーバと、ネットワークを介して前記動画像提供サーバと通信可能な情報端末と、記憶部と、を備える動画像提供システムである。このシステムにおいて、前記動画像提供サーバは、静止画像と、前記静止画像と画角を共有する動画像とを関連付けて前記記憶部に記憶させる画像管理部と、前記静止画像を特定するための識別情報を、前記ネットワークを介して前記情報端末から受信する情報受信部と、前記識別情報で特定される静止画像に関連付けられている動画像を、前記ネットワークを介して前記情報端末に提供する提供部と、を備え、前記情報端末は、前記静止画像を識別するための識別情報を静止画像から取得する識別情報取得部と、取得した識別情報を、前記ネットワークを介して前記動画像提供サーバに送信する送信部と、前記ネットワークを介して前記動画像提供サーバから動画像を受信する受信部と、前記静止画像の表示領域に受信した動画像を表示する表示部と、を備える。
【００１５】
なお、以上の構成要素の任意の組合せ、本発明の表現を方法、装置、システム、コンピュータプログラム、データ構造、記録媒体などの間で変換したものもまた、本発明の態様として有効である。
【発明の効果】
【００１６】
本発明によれば、静止画像に関連する動画像を簡便に提供することができる。
【図面の簡単な説明】
【００１７】
【図１】実施の形態に係る動画像提供システムの概要を模式的に示す図である。
【図２】実施の形態に係る動画像提供サーバ及び情報端末の機能構成を模式的に示す図である。
【図３】実施の形態に係る撮影機器が撮影する静止画像の撮影時刻と動画像の撮影時間帯との関係を模式的に示す図である。
【図４】実施の形態に係る記憶部が格納するデータのデータ構造を模式的に示す図である。
【図５】実施の形態に係る表示部が表示する動画アプリの表示画面の一例を示す図である。
【図６】実施の形態に係る動画像提供システムにおける動画像提供サービスの流れを説明するためのシーケンス図である。
【図７】実施の形態の第１の変形例に係る撮影機器を示す図である。
【発明を実施するための形態】
【００１８】
＜実施の形態の概要＞
図１を参照して、本発明の実施の形態の概要を述べる。
図１は、実施形態に係る動画像提供システム１の概要を模式的に示す図である。実施の形態に係る動画像提供システムは、動画像提供サーバ１００、情報端末２００、及び記憶部３０を備える。情報端末２００は、例えばインターネット等のネットワーク４０を介して動画像提供サーバ１００と通信可能である。煩雑となることを避けるために図１では情報端末２００を１台のみ図示しているが、動画像提供サーバ１００は複数の情報端末２００と相互に通信することができる。
【００１９】
実施の形態に係る動画像提供サーバ１００の運用者（以下、単に「運用者」と記載する。）は、ユーザ１０自身又はユーザ１０の家族や知人等を被写体に含む静止画像１２である写真を撮影し、ユーザ１０に販売するサービスを提供している。ユーザ１０が運営者から購入する静止画像１２の被写体は必ずしもユーザ１０自身とは限らないが、以下説明の便宜上、運用者が販売のためにユーザ１０に公開する写真の被写体はユーザ１０自身であることを前提に説明する。
運用者はまた、静止画像１２と画角を共有する動画像１４（例えば、静止画像１２と同一画角の動画像１４）を撮影してユーザ１０に販売するサービスも提供している。より具体的には、運用者がユーザ１０に提供するサービスは、図１内及び以下に示す（１）から（１１）までの１１のステップを含む。
【００２０】
（１）運用者は、撮影機器２０を用いてユーザ１０を被写体に含む動画像１４を撮影し、その動画像１４の撮影中に少なくともいずれか１回のタイミングで静止画像１２を撮影する。撮影された静止画像１２と動画像１４とは、互いに関連付けられて記憶部３０に格納される。限定はしないが、一例として、撮影機器２０は動画像も撮影できるデジタルカメラである。あるいは、撮影機器２０は静止画像１２も撮影できるデジタルビデオカメラであってもよい。
（２）動画像提供サーバ１００は、記憶部３０が記憶している静止画像１２を、ネットワーク４０を介して閲覧及び選択可能な態様でユーザ１０が使用する情報端末２００に提供する。この意味で、動画像提供サーバ１００はウェブサーバとして機能する。
【００２１】
（３）ユーザ１０は情報端末２００が実行するウェブブラウザを用いて、動画像提供サーバ１００が提供する静止画像１２を選択し購入する。この意味で動画像提供サーバ１００は決済サーバとしても機能する。なお動画像提供サーバ１００が決済サーバとして機能する代わりに、動画像提供サーバ１００はネットワーク４０を介して図示しない決済サーバと接続し、決済処理を実行するようにしてもよい。
（４）動画像提供サーバ１００は、ユーザ１０が購入した静止画像１２を記憶部３０から写真出力機５０に出力し、写真出力機５０にプリントさせる。写真出力機５０は、例えば既知のデジタルミニラボ機を用いて実現できる。
【００２２】
（５）運用者は、写真出力機５０が印刷した写真６０をユーザ１０に送付する。運用者はまた、ユーザ１０が購入した写真６０の元データである静止画像１２のそれぞれを識別するための識別情報６２を含む写真プリントもユーザ１０に送付する。識別情報６２は、それよって特定される静止画像１２に関連付けられた動画像１４を試聴するために用いられるため、以下本明細書において識別情報６２を含む写真プリントを「動画試聴用プリント」と記載する。識別情報６２は、ユーザ１０が受け取った写真を特定するための情報であり、例えばＱＲコード（登録商標）である。なお、動画試聴用プリントも写真出力機５０でプリントされることから、写真６０の一種である。
【００２３】
（６）ユーザ１０は、所望の写真６０を特定するための識別情報６２を、動画試聴用プリントから情報端末２００に取得させる。詳細は後述するが、情報端末２００は専用のアプリケーションソフト（以下、「動画アプリ」と記載する。）を実行することにより、識別情報６２を取得する。ユーザ１０はこの動画アプリは、ネットワーク４０を介して動画アプリをダウンロードするためのサイト（不図示）からダウンロードすることができる。
【００２４】
（７）情報端末２００は、取得した識別情報６２を、ネットワーク４０を介して動画像提供サーバ１００に送信する。
（８）動画像提供サーバ１００は、情報端末２００から受信した識別情報６２で特定される静止画像１２に関連付けられている動画像１４を記憶部３０から読み出す。
（９）動画像提供サーバ１００は、記憶部３０から読み出した動画像１４を、ネットワーク４０を介してユーザ１０の情報端末２００に送信する。なおこの動画像１４は、ユーザ１０が正式に動画像を購入するか否かを決めるために閲覧することが想定されている試聴用の動画像である。この動画像１４は、識別情報６２を取得した動画アプリにおいて表示されるように構成されている。したがって、ユーザ１０は識別情報６２を取得した動画アプリ内においてのみ、動画像１４を表示させることができる。
【００２５】
（１０）ユーザ１０は、試聴用の動画像１４のオリジナルデータの購入を希望する場合、動画像提供サーバ１００に動画像の購入を指示する。
（１１）動画像提供サーバ１００は決済処理を実行した後、該当する動画像を、ネットワーク４０を介してユーザ１０の情報端末２００に送信する。
【００２６】
このように、実施の形態に係る動画像提供システム１によれば、ユーザ１０は購入した静止画像１２と同時期に撮影された動画像であって、静止画像１２と画角を共有する動画像１４を取得することができる。
また運用者は、ユーザ１０が正式に動画像を購入するか否かを決めるために提供する試聴用の動画像１４を、特定のアプリケーション内においてのみ表示できるような態様で提供するため、試聴用の動画像１４が不正に入手されることを抑制できる。
以下、実施の形態に係る動画像提供システム１についてより詳細に説明する。
【００２７】
＜動画像提供サーバ及び情報端末の機能構成＞
図２は、実施の形態に係る動画像提供サーバ１００及び情報端末２００の機能構成を模式的に示す図である。動画像提供サーバ１００は、画像管理部１１０、情報受信部１２０、及び提供部１３０を備える。また情報端末２００は、識別情報取得部２１０、撮像素子２２０、送信部２３０、表示部２４０、及び受信部２５０を備える。
【００２８】
図２は、実施の形態に係る動画像提供サーバ１００及び情報端末２００を実現するための機能構成を示しており、その他の構成は省略している。図２において、さまざまな処理を行う機能ブロックとして記載される各要素は、ハードウェア的には、動画像提供サーバ１００又は情報端末２００がそれぞれ備えるＣＰＵ（Central Processing Unit）、メインメモリ、その他のＬＳＩ（Large Scale Integration）で構成することができる。またソフトウェア的には、動画像提供サーバ１００又は情報端末２００のそれぞれのメインメモリにロードされたプログラム等によって実現される。したがってこれらの機能ブロックが、動画像提供サーバ１００又は情報端末２００の計算リソースによっていろいろな形で実現できることは当業者には理解されるところであり、いずれかに限定されるものではない。
【００２９】
限定はしないが、一例として、動画像提供サーバ１００は既知のメインフレームやクラウドサーバを用いて実現できる。また情報端末２００は、既知のスマートフォン、タブレットＰＣ（Personal Computer）、ファブレット、ノートＰＣ、デスクトップＰＣ、携帯ゲーム機、時計型やメガネ型等のウェアラブルコンピュータ等である。
【００３０】
画像管理部１１０は、撮影機器２０が撮影した静止画像１２と、静止画像１２と画角を共有する動画像１４とを関連付けて記憶部３０に記憶させる。画像管理部１１０はまた、静止画像１２を特定する識別情報６２に基づいて、識別情報６２で特定される静止画像１２と、その静止画像１２に関連付けられている動画像１４とを記憶部３０から読み出す。
【００３１】
情報受信部１２０は、静止画像１２を特定するための識別情報６２を、ネットワーク４０を介して情報端末２００から受信する。画像管理部１１０は、識別情報６２で特定される静止画像１２に関連付けられた動画像１４を記憶部３０から読み出す。提供部１３０は、画像管理部１１０が記憶部３０から読み出した動画像１４を、ネットワーク４０を介して情報端末２００に提供する。
【００３２】
ここで、画像管理部１１０が記憶部３０に記憶させる静止画像１２は、その静止画像１２に関連付けられている動画像１４を撮影した撮影機器２０で撮影されている。この撮影機器２０は、静止画像１２が撮影された時刻を、静止画像ファイルのヘッダ部分にメタデータとして格納する。撮影機器２０はまた、動画像１４が撮影された時間帯を、動画像ファイルのヘッダ部分にメタデータとして格納する。画像管理部１１０は、静止画像１２が撮影された撮影時刻と、動画像１４が撮影された撮影時間帯とを、それぞれ静止画像１２と動画像１４とに関連付けて記憶部３０に記憶させる。
【００３３】
図３は、実施の形態に係る撮影機器２０が撮影する静止画像１２の撮影時刻と動画像１４の撮影時間帯との関係を模式的に示す図である。図３において、矢印は時間の流れを示している。図３は、撮影機器２０が時刻Ｔ１において第１動画像１４ａの撮影を開始し、時刻Ｔ３において第１動画像１４ａの撮影を終了したことを示している。同様に、図３は、時刻Ｔ４において第２動画像１４ｂの撮影を開始し、時刻Ｔ６において第２動画像１４ｂの撮影を終了したことを示している。
【００３４】
図３はさらに、時刻Ｔ１と時刻Ｔ３との間の時間帯に含まれる時刻Ｔ２において、撮影機器２０が第１静止画像１２ａを撮影したことを示している。同様に、時刻Ｔ４と時刻Ｔ６との間の時間帯に含まれる時刻Ｔ５において、撮影機器２０が第２静止画像１２ｂを撮影したことを示している。図３は、時刻Ｔ２は時刻Ｔ１と時刻Ｔ３とのちょうど中間の時刻であり、時刻Ｔ５は時刻Ｔ４と時刻Ｔ６とのちょうど中間の時刻である場合の例を示している。これはすなわち、第１動画像１４ａは、第１静止画像１２ａが撮影された時刻Ｔ２を含み、その前後の時間帯の映像が撮影された動画像であることを意味する。同様に、第２動画像１４ｂは、第２静止画像１２ｂが撮影された時刻Ｔ２を含み、その前後の時間帯の映像が撮影された動画像である。
【００３５】
限定はしないが、一例として、第１動画像１４ａと第２動画像１４ｂとのそれぞれの撮影時間は共に２０秒である。この場合、第１動画像１４ａは、第１静止画像１２ａの撮影時刻の前後１０秒間を撮影した動画像ということになる。同様に、第２動画像１４ｂは、第２静止画像１２ｂの撮影時刻の前後１０秒間を撮影した動画像である。画像管理部１１０は、第１静止画像１２ａと第１動画像１４ａとを関連付け、また第２静止画像１２ｂと第２動画像１４ｂとを関連付けて記憶部３０に記憶させる。
【００３６】
例えば第１静止画像１２ａの写真プリントを取得したユーザ１０が、情報端末２００を用いて第１静止画像１２ａを特定するための識別情報６２を動画像提供サーバ１００に送信したとする。この場合、提供部１３０は、第１静止画像１２ａに関連付けられている第１動画像１４ａの試聴用動画像を、ユーザ１０の情報端末２００に送信する。これにより、ユーザ１０は第１静止画像１２ａが撮影された時刻Ｔ２の前後の状況を、第１動画像１４ａの試聴用動画像によって確認することができる。
【００３７】
実施の形態に係る撮影機器２０で撮影された静止画像１２と動画像１４とは画角を共有する。また、提供部１３０は、静止画像１２の撮影時刻を撮影時間帯に含む動画像１４を、ユーザ１０の情報端末２００に提供する。このため、ユーザ１０は静止画像１２を見た直後に動画像１４を見ても両者の間で画角及び撮影の時間帯がずれていないため、違和感なく動画像１４を試聴することができる。
【００３８】
図４は、実施の形態に係る記憶部３０が格納するデータのデータ構造を模式的に示す図である。画像管理部１１０は、運用者の顧客である複数のユーザ１０をそれぞれ一意に特定するためのユーザ識別子を、各ユーザ１０に割り当てて記憶部３０に記憶させている。画像管理部１１０はまた、複数の静止画像１２のそれぞれを一意に特定するための静止画像識別子を、各静止画像１２に割り当てて記憶部３０に記憶させている。同様に、画像管理部１１０は複数の動画像１４のそれぞれを一意に特定するための動画像識別子を、各動画像１４に割り当てて記憶部３０に記憶させている。画像管理部１１０はさらに、各静止画像１２を撮影した撮影者を一意に特定するための撮影者識別子を、各静止画像識別子に関連付けて記憶部３０に記憶させている。
【００３９】
図４は、ユーザ識別子がＵＩＤ００００１であるユーザ１０に紐付けられているデータのデータ構造を示している。例えばユーザ識別子がＵＩＤ００００１であるユーザ１０には、静止画像識別子がＳＩＤ００００１で特定される静止画像１２が関連付けられている。静止画像識別子がＳＩＤ００００１で特定される静止画像１２には、動画像識別子がＭＩＤ００００１で特定される動画像１４が関連付けられている。また、静止画像識別子がＳＩＤ００００１で特定される静止画像１２を撮影した撮影者は、撮影者識別子がＣＩＤ００００３で特定される。
【００４０】
画像管理部１１０は、図４に示すように、静止画像１２の撮影時刻と動画像１４の撮影時間帯とも、それぞれ静止画像１２に関連付けて記憶部３０に記憶させている。例えば図４に示す例では、静止画像識別子がＳＩＤ００００１で特定される静止画像１２の撮影時刻が２０１５年１月２３日午後４時５６分０７秒であることを示している。またその静止画像１２に関連付けられている動画像１４の撮影時間帯が、静止画像１２の撮影時刻の前後１０秒である同日午後４時５５分５７秒から午後４時５６分１７秒までであることを示している。このように、静止画像１２の撮影時刻は、その静止画像１２に関連付けられている動画像１４の撮影時間帯に含まれる。
なお、図５に示すデータ構造における広告動画識別子については後述する。
【００４１】
図２の説明に戻り、情報端末２００の機能構成について説明する。
情報端末２００の撮像素子２２０は、静止画像及び動画像を撮影することができる。撮像素子２２０は、例えばＣＣＤ（Charge-Coupled Device）やＣＭＯＳ（Complementary Metal Oxide Semiconductor）等の既知の固体撮像素子である。
【００４２】
識別情報取得部２１０は、撮像素子２２０を用いて動画試聴用プリントを被写体に含む画像を撮影する。上述したように、動画試聴用プリントはユーザ１０が運用者から静止画像１２を購入したときに取得したプリントであり、その静止画像１２を特定するための識別情報６２が含まれるプリントである。
【００４３】
表示部２４０は、撮像素子２２０が撮影した画像を表示する。表示部２４０は、情報端末２００に備えられているか、あるいは情報端末２００に接続されている表示画面である。表示部２４０は、例えば液晶パネルや有機ＥＬ（Electro-Luminescence）パネル等の既知の表示装置である。
【００４４】
識別情報取得部２１０は、撮像素子２２０が撮影した画像から、その画像に被写体として含まれる静止画像１２を特定するための識別情報６２を取得する。例えば識別情報６２がＱＲコードを用いて実現されている場合には、識別情報取得部２１０は撮像素子２２０が撮影した画像からＱＲコードを検出して識別情報６２を取得する。
【００４５】
送信部２３０は、識別情報取得部２１０が取得した識別情報６２を、ネットワーク４０を介して動画像提供サーバ１００に送信する。動画像提供サーバ１００の情報受信部１２０は、撮像素子２２０が撮影した画像から動画アプリが取得した識別情報６２を受信する。提供部１３０は、動画アプリの表示画面において表示されるように構成された動画像１４を情報端末２００に提供する。受信部２５０は、ネットワーク４０を介して動画像提供サーバ１００から動画像１４を受信する。送信部２３０及び受信部２５０は、例えば既知の無線ＬＡＮ（Local Area Network）モジュールを用いて実現できる。
【００４６】
表示部２４０は、表示画面に表示された画像において静止画像１２が表示されている領域に、受信部２５０が動画像提供サーバ１００から受信した動画像１４を重ねて表示する。
図５は、実施の形態に係る表示部２４０が表示する動画アプリの表示画面の一例を示す図である。より具体的には、図５は、情報端末２００のユーザ１０が情報端末２００で動画アプリを起動して動画試聴用プリントである写真６０を撮影した場合における表示部２４０の表示画面を示している。受信部２５０が識別情報６２で特定される静止画像１２に関連付けられた動画像１４を受信すると、表示部２４０は動画再生用の操作パネル２４２を表示画面に表示する。図５に示すように操作パネル２４２は、動画像１４の再生、停止、スキップ等の操作をするためのアイコンや、動画像１４の進捗状況を示すバー等が表示されている。
【００４７】
表示部２４０は、撮像素子２２０が動画試聴用プリントの撮影を開始してから受信部２５０が動画像１４を受信するまでの間は、撮像素子２２０が撮影している画像を表示画面に表示する。受信部２５０が動画像提供サーバ１００から動画像１４を受信した後、ユーザ１０が操作パネル２４２を操作して動画像１４の再生を指示すると、表示部２４０は撮像素子２２０が撮影している画像をフェードアウトさせるとともに、動画像１４をフェードインして再生する。ユーザ１０には、静止画像１２が表示されていた領域に重ねて、それと関連する動画像１４が表示されるように観察される。表示部２４０はまた、動画像１４の再生が終了した場合、動画像１４を再生した領域に再び静止画像１２を表示させてもよい。表示部２４０によるこれらの演出は、例えば動画アプリが既知のＡＲ（Augumented Reality）技術を実行することにより実現できる。
【００４８】
＜広告動画の表示＞
以上、実施の形態に係る情報端末２００において、静止画像１２と画角を共有し、静止画像１２の撮影時刻を撮影時間帯に含む動画像１４を再生する場合について説明した。ここで、ユーザ１０が動画像１４を正式に購入する前に動画像提供サーバ１００から提供される動画像１４は、ユーザ１０が動画像１４を購入するか否かを決定するために提供される試聴用のサンプル動画であり、運用者がユーザ１０にサービスとして無料で提供するものである。そこで運用者は、ユーザ１０にサンプル動画を無料で提供することの条件として、ユーザ１０の情報端末２００に広告動画を表示させてもよい。
【００４９】
このため図４に示すように、画像管理部１１０は、ユーザ１０毎に紐付けている各静止画像識別子に、広告動画を特定するための広告動画識別子を関連付けて記憶部３０に記憶させている。情報受信部１２０が情報端末２００から識別情報６２を受信した場合、提供部１３０は動画像１４に加えて広告動画を情報端末２００に提供する。
ここで静止画像１２に関連付けられている広告動画の内容はどのようなものであってもよい。例えば運用者が提供する商品やサービスを示す動画であってもよいし、運用者とは異なる第三者が提供する商品やサービスを示す動画であってもよい。
【００５０】
なお、上述した情報端末２００の各機能は、情報端末２００のＣＰＵがメインメモリにロードした動画アプリを実行することによって実現される。
【００５１】
＜動画像提供システム１における動画像提供サービスのシーケンス図＞
図６は、実施の形態に係る動画像提供システム１における動画像提供サービスの流れを説明するためのシーケンス図である。
動画像提供サーバ１００の画像管理部１１０は、撮影機器２０が撮影した静止画像１２に動画像１４を関連付けて記憶部３０に記憶させる（Ｓ２）。動画像提供サーバ１００の提供部１３０は、記憶部３０に記憶されている静止画像１２の一覧を、ネットワーク４０を介してユーザ１０の情報端末２００に公開する（Ｓ４）。
【００５２】
ユーザ１０は、動画像提供サーバ１００の提供部１３０が公開した静止画像１２の一覧を、情報端末２００を用いて閲覧する（Ｓ６）。ユーザ１０は、静止画像１２の一覧の中から、購入する静止画像１２を決めて購入を申し込む（Ｓ８）。
【００５３】
動画像提供サーバ１００の決済処理部（不図示）は、ユーザ１０から静止画像１２の購入の申し込みを受け付けて決済処理をする（Ｓ１０）。提供部１３０は、ユーザ１０から購入の申し込みのあった静止画像１２を記憶部３０から読み出して、写真出力機５０に出力しプリントさせる（Ｓ１２）。提供部１３０はまた、ユーザ１０が購入した静止画像１２を特定する識別情報６２を含む動画試聴用プリントをプリントする（Ｓ１４）。運用者は、写真出力機５０が出力したプリントをユーザ１０に送付する（Ｓ１６）。
【００５４】
ユーザ１０は、運用者から送付されたプリントを受け取る（Ｓ１８）。ユーザ１０は、情報端末２００で動画アプリを実行し、情報端末２００の撮像素子２２０で動画試聴用プリントを撮影する（Ｓ２０）。情報端末２００の送信部２３０は、識別情報取得部２１０が動画試聴用プリントから取得した識別情報６２を、ネットワーク４０を介して動画像提供サーバ１００に送信する（Ｓ２２）。
【００５５】
動画像提供サーバ１００の情報受信部１２０は、情報端末２００から識別情報６２を受信する（Ｓ２４）。提供部１３０は、識別情報６２で特定される静止画像１２に関連付けられている試聴用の動画像１４を、ネットワーク４０を介して情報端末２００に提供する（Ｓ２６）。情報端末２００の表示部２４０は、受信部２５０が受信した試聴用の動画像１４を表示する（Ｓ２８）。ユーザ１０は、動画像１４を試聴し、その動画像１４のオリジナル動画像の購入を申し込む（Ｓ３０）。
【００５６】
動画像提供サーバ１００の決済処理部は、ユーザ１０から動画像１４の購入の申し込みを受け付けて決済処理をする（Ｓ３２）。提供部１３０は、ユーザ１０から購入の申し込みのあった動画像１４のファイルを記憶部３０から読み出して、ネットワーク４０を介して情報端末２００に提供する（Ｓ３４）。ユーザ１０は、ネットワーク４０を介して動画像提供サーバ１００から動画ファイルを情報端末２００にダウンロードすることにより、購入の申し込みをした動画像１４を入手する（Ｓ３６）。
【００５７】
以上説明したように、実施の形態に係る動画像提供システム１によれば、静止画像に関連する動画像を簡便に提供する技術を提供できる。
特に、画像管理部１１０が静止画像１２に関連付けて記憶部３０に記憶させる動画像１４は、その画角を静止画像１２と共有している。また画像管理部１１０が静止画像１２に関連付けて記憶部３０に記憶させる動画像１４は、その撮影時間帯が静止画像１２の撮影時刻を含んでいる。このため、静止画像１２を観察したユーザ１０が直後に動画像１４を閲覧しても、静止画像１２と画角がずれることでユーザ１０に与える違和感を抑制することができる。
【００５８】
さらに、動画像提供サーバ１００の提供部１３０がユーザ１０の情報端末２００に提供する動画像１４は、その動画像１４が関連付けられている静止画像１２を特定するための識別情報６２を抽出するための動画アプリにおいて表示されるように構成されている。このため、ユーザ１０は情報端末２００で動画アプリを実行させて動画試聴用プリントを撮影すれば、そのままその動画アプリ上で動画像１４を閲覧することができる。動画を閲覧するために情報端末２００に実行させるアプリを切り替える等の手間が省略できるため、動画像１４の閲覧のためのユーザビリティを向上することができる。動画像１４の提供者である運用者にとっては、動画像１４の閲覧が動画アプリに限定できるので、試聴用の動画像１４が不正に入手されることを抑制できる。
【００５９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。以下そのような変形例を説明する。
【００６０】
＜第１の変形例＞
上記では、静止画像１２を撮影する撮影機器２０と、動画像１４を撮影する撮影機器２０とが同一の場合について説明した。しかしながら、静止画像１２と動画像１４との画角が共有されていれば、静止画像１２と動画像１４とはそれぞれ異なる機材で撮影されてもよい。
図７（ａ）−（ｂ）は、実施の形態の第１の変形例に係る撮影機器２０を示す図である。より具体的には、図７（ａ）は第１の変形例に係る撮影機器２０の外観を模式的に示す図であり、図７（ｂ）は第１の変形例に係る撮影機器２０の使用例を示す図である。
【００６１】
図７（ａ）に示すように、第１の変形例に係る撮影機器２０は、スチルカメラ２１と、動画カメラ２３と、スチルカメラ２１と動画カメラ２３とを連結する連結部材２２とを備える。連結部材２２は、動画カメラ２３の画角を調製するために、動画カメラ２３を取り付けた状態で動画カメラ２３の向きが調整可能な調整部（不図示）を備える。
【００６２】
図７（ｂ）に示すように、第１の変形例に係る撮影機器２０を用いて実際にテスト撮影することにより、第１の変形例に係る撮影機器２０の使用者は、スチルカメラ２１の画角と動画カメラ２３の画角とをあらかじめ一致させておくことができる。使用者は、自身が使い慣れた既存のスチルカメラ２１と動画カメラ２３を用いて画角を共有する静止画像１２及び動画像１４を撮影することができる点で効果がある。
【００６３】
＜第２の変形例＞
上記では、運用者は動画試聴用プリントを写真出力機５０で出力してユーザ１０に送付する場合について説明した。これに代えて、あるいはこれに加えて、運用者は動画試聴用の電子画像を、ネットワーク４０を介してユーザ１０に送付してもよい。これは例えば提供部１３０が、ユーザ１０が購入の申し込みをした静止画像１２を特定するための識別情報６２を含む動画試聴用の電子画像を、ユーザ１０のみがログインできるウェブサイト上に公開してもよい。この場合、ユーザ１０は写真６０である動画試聴用プリントに代えて、ＰＣのモニタ等に表示された動画試聴用の電子画像を情報端末２００で撮影することにより、動画像１４を取得できる。動画試聴用プリントを郵送する場合と比較して、ユーザ１０が画試聴用の電子画像を短期間で入手できる点で効果がある。
【００６４】
＜第３の変形例＞
上記では、動画試聴用プリントに含まれる識別情報６２がＱＲコード等の識別子である場合について主に説明した。しかしながら、識別情報６２はユーザ１０によって認識できる態様でなくてもよい。例えば静止画像１２を特定する静止画像識別子を既知の電子透かし技術によって静止画像１２に埋め込むことにより、識別情報６２を実現してもよい。あるいは、識別情報取得部２１０が、例えば既知のパターンマッチング等の画像認識技術を用いて同一物判定をすることにより静止画像１２を特定してもよい。この場合、識別情報取得部２１０が実行するパターンマッチング技術の出力結果が、識別情報６２となる。識別情報取得部２１０がパターンマッチング技術を用いて静止画像１２を特定する場合、動画試聴用プリントを省略できる点で効果がある。
【００６５】
さらに、パターンマッチング技術とＱＲコード等の識別子とを併用してもよい。例えば動画像提供サーバ１００の提供部１３０は、ユーザ１０から取得した静止画像１２の購入の申し込みを単位としてＱＲコードを発行してもよい。例えば、ユーザ１０から１度に１０枚の静止画像１２の購入の申し込みがあった場合、各静止画像１２に関する動画試聴用プリントには、同一のＱＲコードを付す。情報端末２００は、動画試聴用プリントに付されたＱＲコードが示す情報と、動画試聴用プリントにパターンマッチング技術を施して得られた出力結果とを合わせた情報を識別情報６２として動画像提供サーバ１００に送信する。これにより、パターンマッチング技術による分類ないし同一物判定の対象が限定されるため、パターンマッチングの精度を向上することができる点で効果がある。
【００６６】
＜第４の変形例＞
上記では、静止画像１２の撮影時刻は、その静止画像１２に関連付けられている動画像１４の撮影時間帯の中間の時刻である場合について主に説明した。しかしながら、静止画像１２の撮影時刻は、その静止画像１２に関連付けられている動画像１４の撮影時間帯に含まれていればよく、その中間の時刻には限定されない。
例えば静止画像１２が徒競走のゴールシーンを撮影した画像である場合は、静止画像１２の撮影時刻は、その静止画像１２に関連付けられている動画像１４の撮影時間帯の末尾であってもよい。この場合、動画像１４は静止画像１２の撮影時刻に対して過去の動画像となる。ユーザ１０は、徒競走のゴールシーンに至る過程を動画像１４で確認することができる。
【００６７】
別の例としては、例えば静止画像１２が走り幅跳びの踏切の瞬間を撮影した画像である場合には、静止画像１２の撮影時刻は、その静止画像１２に関連付けられている動画像１４の撮影時間帯の先頭であってもよい。この場合、動画像１４は静止画像１２の撮影時刻に対して未来の動画像となる。ユーザ１０は、走り幅跳びの踏切後に被写体がどれくらい飛ぶことができたのかを動画像１４で確認することができる。
【００６８】
ここで例えば静止画像１２が５０ｍ走のゴールシーンである場合には、動画像１４の長さを１０秒とすれば、５０ｍ走のスタートからゴールまでをカバーできると考えられる。また、静止画像１２が走り幅跳びの踏切の瞬間を撮影した画像である場合には、踏切から着地までをカバーするために動画像１４の長さを５秒程度とすれば足りると考えられる。このように、静止画像１２の撮影時刻が、その静止画像１２に関連付けられている動画像１４の撮影時間帯の中でどの時刻にするかは、静止画像１２の被写体や撮影シーンを考慮して定めればよい。また、動画像１４をどのような長さにするかも、静止画像１２の被写体や撮影シーンを考慮して定めればよい。
【符号の説明】
【００６９】
１・・・動画像提供システム
２０・・・撮影機器
２１・・・スチルカメラ
２２・・・連結部材
２３・・・動画カメラ
３０・・・記憶部
４０・・・ネットワーク
５０・・・写真出力機
１００・・・動画像提供サーバ
１１０・・・画像管理部
１２０・・・情報受信部
１３０・・・提供部
２００・・・情報端末
２１０・・・識別情報取得部
２２０・・・撮像素子
２３０・・・送信部
２４０・・・表示部
２５０・・・受信部
【図１】
0006644560.tif 000002
【図２】
0006644560.tif 000003
【図３】
0006644560.tif 000004
【図４】
0006644560.tif 000005
【図５】
0006644560.tif 000006
【図６】
0006644560.tif 000007
【図７】
0006644560.tif 000008